(57)【要約】【課題】構造が簡単で運搬・搬入・組み立てが容易で、維持管理費を大幅に抑え、電気代も大幅に抑えることが出来る。また、設置時間も大幅に抑え、停電時の連絡や水位の異常を速やかに連絡出来る魚の養殖装置システムを提供することを目的としている。【解決の手段】水槽１の水を吸い込み、吐き出すポンプ２９と水を殺菌する殺菌灯３０からなる給水管２からの水を、アームに設けた噴射口１９から吐出す。それにより、アーム１５を回転させる。また、回転するアーム１５に設けた掻き寄せ板２０で残り餌や糞を掻き寄せ排水管３へと送り出す。また、水面に浮いた残り餌や糞は浮遊物収集箱へ送り出し、水槽１の水を綺麗にすることが出来る。また、本管１１からの給水を、タイマー付受発信装置２８を介し行う。尚、水槽１は組み立て式の水槽枠３５と防水シート３８から成る。また、水位センサー３３・３４が反応したら、タイマー付受発信装置２８を介し管理人の携帯電話に警報をだすようにする。【選択図】図２
2016082960.tif 000002
【特許請求の範囲】
【請求項１】
水槽内の水を吸い込み吐き出す循環ポンプと、循環ポンプから吐き出した水を殺菌する殺菌灯と、循環ポンプからの水圧で水を勢い良く吐き出す噴射口を設けたアームから構成された魚の養殖装置システム。
【請求項２】
アームの噴射口に水を導く噴射管と、水槽底板に落ちた残り餌や糞を掻き寄せる掻き寄せ板と、掻き寄せた残り餌や糞を吸い上げる集水穴と、吸い上げた残り餌と糞を排水管へ導く集水管から構成された請求項１記載の魚の養殖装置システム。
【請求項３】
アームを水槽内底板上で回す為の、ねじれ防止用の回転ジョイントと、アームと底板との高さを一定に保つ為の回転駒と、アームの中心を保持する為のアーム軸を設けた請求項１・２記載の魚の養殖装置システム。
【請求項４】
循環ポンプの吸い込み側給水管に水槽内に空気を送るための、空気量調整バルブ付の空気取り入れ管を設けた請求項１記載の魚の養殖装置システム。
【請求項５】
空気取り入れ管から取り入れた空気を循環ポンプで撹拌し非常に小さくなった泡を、噴射口から水槽内に吹き出す。これにより、水中に浮いた残り餌や糞に小さな泡が付着し水面に浮かせ収集する浮遊物収集箱を設けた請求項１・４記載の魚の養殖装置システム。
【請求項６】
アームに設けた集水穴から吸い上げた残り餌や糞を、水と一緒に一定時間に一定量、水槽の外に送り出す排水管に設けた排水バルブと、必要以上の排水を無くす立ち上り管と、水槽の全ての水を排水するための総排水バルブＡ・Ｂを設けた請求項２・３記載の魚の養殖装置システム。
【請求項７】
水槽に水槽内の水位が必要以上に上がったり、下がったりしたら警報を出すように水位センサー上・下を設けた請求項１・２・４・５・６記載の魚の養殖装置システム。
【請求項８】
水槽の水位が一定時間内に水位下限に来るように排水バルブで調整し、その後本管バルブが開き新しい水が流れ込むようにする。尚、その水が水位上限まで来たらそのまま一定時間保持し、海水面に浮いた残り餌や糞を浮遊物収集箱に送り出す。この排水バルブの調整による排水と、本管からの給水を、繰り返すことの出来るタイマー付受発信装置を設けた請求項６記載の魚の養殖装置システム。
【請求項９】
水槽が大きく運搬・搬入・組み立てが難しい所でも速く・安全で・容易に組み立て作業が出来る、分割式にした水槽枠の請求項１〜８のいずれかに記載の魚の養殖装置システム。
【請求項１０】
水を噴射口に導く噴射管と、残り餌と糞を掻き寄せる掻き寄せ板と、それを吸い込む集水穴と、それを排水管へ導く集水管を設け、掻き寄せ能力を高めたＳ形曲線をしたアームの請求項２・３・６・記載の魚の養殖装置システム。
【発明の詳細な説明】
【技術分野】
【０００１】本発明は水槽内の残り餌や糞を効率よく取り除き人手による作業を減らし、水槽内を綺麗にし、アンモニアや菌の発生を防ぐことが出来る。また、新しい水と古い水とを完全に分けて入れ替えることでポンプに掛る電気代を大幅に減らすことが出来る。尚、水槽を組立式にすることで施設場所の制限を無くし、施設費用も減らすことが出来る魚の養殖装置システムに関するものである。
【背景技術】
【０００２】一般に使われている水槽の底板は水平になっているか、中央排水に向かって勾配が付いている程度である。それにより、餌や糞が残ってしまう為、人手によりシャワーやブラシを使い洗い出している。また、底板を清掃する掻き寄せ機を設けた水槽はコンクリート制で、大掛かりで電気モーターや変速機を使用するためコストが高く付いていた。【０００３】また、今までの水槽は、海などから水を汲み上げ、それを一日中水槽に掛け流していた。その為、新しい水も古い水も水槽から流れ出無駄が多く、そのため本管ポンプにかかる電気代も高く付いていた。【０００４】また、循環ろ過装置のように沈殿槽・フィルター装置・バイオフィルターなどを設けた設備は、広い場所、高いコスト、維持管理費が多くかかってしまう。（例えば特開文献１・２）【０００５】また、水槽中央部分に集まった残り餌や糞を、エアーの力により吸い上げマット上に落とすと有るが、マットの洗浄やマット代など高いコストがかかる。また、底板の掃除はどうするのか。（例えば特開文献３）
【先行技術文献】
【特許文献】
【０００６】
【特許文献１】特開２０００−３１２５４２
【特許文献２】特開２００８−０９２８４６
【特許文献３】特開２００６−２１７８２２
【発明の概要】
【発明が解決しようとする課題】
【０００７】このような従来の魚の養殖装置は設備費用の高さ、設備場所の広さ、設備の維持管理費、電気代の高さなど新しく養殖事業を行う上で大きな負担になり、事業を先に進めることが出来なかった。また、小さな水槽でも底板の清掃時間や費用、掛け流しによりポンプの電気代が高く付いている。【０００８】本発明はこのような従来の課題を解決するものであり、構造が簡単で安価であり、広い場所や維持管理費を大幅に抑え電気代も大幅に抑えることが出来る。また、設置時間も大幅に抑え、停電時の連絡や、水位の異常を速やかに連絡出来る魚の養殖装置システムを提供することを目的としている。
【課題を解決するための手段】
【０００９】水槽内の水を吸い込み吐き出す循環ポンプと、循環ポンプから吐き出した水を殺菌する殺菌灯と、循環ポンプからの水圧で水を勢い良く吐き出す噴射口を設けた曲線型のアームから構成されたものである。【００１０】この手段により、水槽内の水中の菌を循環ポンプにより吸い吐出し、殺菌灯へ送り紫外線により菌を死滅させることが出来る。また、循環ポンプから吐き出された水が給水管を抜け、アームに設けた噴射管を通りアーム両端の噴射口から水中に勢いよく吹き出る、それによりアームを回転させることが出来る効率の良い魚の養殖装置システムが得られる。【００１１】また、アームの噴射口に水を導く噴射管と、水槽の底板に落ちた残り餌や糞を、掻き寄せる掻き寄せ板と、掻き寄せた残り餌や糞を吸い上げる集水穴と、吸い上げた残り餌や糞を排水管へ導く集水管から構成したものである。【００１２】この手段により、アーム軸を中心に水槽内を回るアームに掻き寄せ板を設け、その掻き寄せ板で底板に付いた残り餌や糞を、アームに設けた集水穴に掻き寄せ、常に排水されている集水穴から吸い込まれ、アーム内の集水管から排水管へと送り出すことが出来る。また、この掻き寄せ板で底板を綺麗に清掃することが出来る為。効率の良い魚の養殖装置システムが得られる。【００１３】また、アームを水槽の底板上で回す為の回転ジョイントと、アームの高さを底板と一定に保つ為の回転駒と、アームの中心を保持する為のアーム軸から構成したものである。【００１４】この手段により、水槽の底板上を回るアーム上部の給水管に、給水管ねじれ防止用の回転ジョイントを設ける。また、水槽の底板と掻き寄せ板の高さを一定に保つために回転駒を設ける。尚、アームの振れを無くし安定した回転をするようにアーム中心部アーム軸を設けた効率の良い魚の養殖装置システムが得られる。【００１５】また、循環ポンプ吸い込み側給水管に水槽内に空気を送るための、空気量調整バルブ付の空気取り入れ管から構成したものである。【００１６】この手段により、循環ポンプの吸い込み側給水管に、空気量調整バルブ付の空気取り入れ管を設け、吸い込む水と一緒に空気を吸い込む。それにより、循環ポンプ内部の羽により掻き回された空気が小さな泡となり給水管・噴射管・噴射口を通り、水槽の水に溶け込ますことの出来る効率の良い魚の養殖装置システムが得られる。【００１７】また、空気取り入れ管から入った空気を循環ポンプで撹拌した非常に小さな泡を噴射口から水槽内に吹き出す。それにより、水中に漂う残り餌や糞に泡が付着し、水面に浮かせ収集する浮遊物収集箱から構成したものである。【００１８】この手段により、空気取り入れ管から入った空気を、循環ポンプで撹拌した非常に小さな泡を噴射口から水槽内に吹き出す。これにより、魚の酸素供給と水中に浮いた残り餌や糞に泡が付着し水面へと導き、水面と同じ高さの位置にある浮遊物収集箱へと導き浮遊物排水管へと送り出す。また、浮いた残り餌や糞の浮遊物収集箱への導きは本管からの給水により、水位を浮遊物収集箱の上端より高い所に一定時間置く。それにより、浮遊物収集箱へ送り込むことが出来る効率の良い魚の養殖装置システムが得られる。【００１９】また、アームに設けた集水穴から吸い上げた残り餌や糞を水と一緒に、一定時間に一定量、水槽の外に送り出す排水管に設けた排水バルブと、必要以上の排水を無くす立ち上り管と、水槽の全ての水を排水するための総排水バルブＡ・Ｂから構成したものである。【００２０】この手段により、アームに設けた掻き寄せ板により集めた残り餌や糞を、常に一定量の水を水槽の外へ送り出す為、排水管に設けた排水バルブを開閉し調整する。それにより、水槽内の水圧により集水穴から集水管を通り排水管へ送り出すことが出来る。また、必要以上に水位が下がらないよう排水管に立ち上り管を設け水位の低下を無くする。尚、全ての水槽の水を抜く際は総排水バルブＡ・Ｂを開くことで水槽の水を無くすことが出来る効率の良い魚の養殖装置システムが得られる。【００２１】また、水槽に水槽内の水位が必要以上に上がったり、下がったりしたら警報を出すように水位センサー上・下で構成したものである。【００２２】この手段により、水槽の水位上限より上と水位下限より下に水位センサーを設けることで本管バルブ・水槽本体・排水管などに異常が有ることが分かる。その異常を、タイマー付受発信装置を介し、２４時間管理人の携帯電話に警報を出すことの出来る効率の良い魚の養殖装置システムが得られる。【００２３】また、水槽の水位が一定時間内に水位下限に来るように排水バルブ調整し、その後本管バルブが開き新しい水が流れ込むようにする。尚、その水が水位上限まで来たらそのまま一定時間保持し海水面に浮いた残り餌や糞を浮遊物収集箱に送り出す。この排水バルブの調整による排水と、本管からの給水を、繰り返すことの出来るタイマー付受発信装置で構成したものである。【００２４】この手段により、水槽内の水を一定時間に一定量の水を入れ替える為、常に排水される水量を決め、排水バルブを調整し、一定時間の排水量を決める。一定時間の排水が終わったら本管の本管用バルブを開き給水を始める。この際、排水量より本管からの給水量が多くなくてはならない。その給水で水面が水位上限まで来たら、そのまま一定時間給水し水面の浮遊物が浮遊物収集箱に入り浮遊物排水管へと送り出される。また、排水バルブの調整による排水量と本管からの給水量を勘案し給水時間をタイマー付受発信装置に入力することで、２４時間繰り返し給水が出来る効率の良い魚の養殖装置システムが得られる。【００２５】また、水槽が大きく運搬・搬入・組み立ての難しい所でも速く安価に作業が出来る、分割式にした水槽枠で構成したものである。【００２６】この手段により、建物の入り口の狭い所でも分割した水槽枠を搬入し組み立てることが出来る。また、大きい水槽の際は水槽枠を増やすことで対処する。尚、水槽枠内側は折りたたみが出来る防水シートを内側前面に張り水漏れ防止とすることで、運搬・搬入・組立がしやすく安価で効率の良い魚の養殖装置システムが得られる。【００２７】  また、水を噴射口に導く噴射管と、残り餌と糞を掻き寄せる掻き寄せ板と、それを吸い込む集水穴と、それを排水管へ導く集水管を設け、掻き寄せ能力を高めたＳ形曲線をしたアームで構成したものである。【００２８】この手段により、アームの噴射管と集水管と掻き寄せ板を一体にし、断面積を小さくすることで、噴射口からの水圧���よるアームの回転抵抗を減らすことが出来る。また、集水管をアーム全長に設けることで、集水穴をアームの各部署に設けることが出来る。尚、直線にしたアームを回した際、残り餌や糞をアームの中心から外側へ掻き出してしまう。そこで、アームをＳ形曲線にすることで、内側中央に掻き集めることの出来る効率の良い魚の養殖装置システムが得られる。
【発明の効果】
【００２９】本発明によれば構造が簡単で、安価で・広い場所を必要とせず・維持管理費・電気代を大幅に抑えることが出来る。また、水槽内も綺麗に出来、設置時間も大幅に抑えることが出来る。尚、停電による異常や、水槽内の水位の異常を管理人に速やかに知らせることの出来る効果のある魚の養殖装置システムが提供できる。【００３０】また、循環ポンプを用いることで、水槽内の水を循環させ水の中の菌を殺菌灯により死滅させることが出来る。また、循環ポンプの水圧で、アームの両端に設けた噴射口から水が噴き出る。この水圧でアームを回転させることが出来る効果のある魚の養殖装置システムが提供できる。【００３１】また、水槽の底板に付いた残り餌や糞を掻き寄せ、アームに設けた集水穴から集水管を通り、排水管へと水を送り出し、常に水の中を綺麗にする。それにより、人手により底板を掃除する必要が無く、水中に菌やアンモニアの発生を防ぐことが出来る効果のある魚の養殖装置システムが提供できる。【００３２】また、アーム上部の給水管に、ねじれ防止用の回転ジョイントを設けることで、給水管がねじれることなくアームがスムーズに回転することが出来る。また、回転駒を設けることでアームの折れを無くし、底板とアームの高さを一定に保つことが出来る。それにより、残り餌や糞を掻き寄せ板で確実に掻き寄せることが出来る。尚、アームの中心にアーム軸を設けることでアームの振れを無くすことが出来る効果のある魚の養殖装置システムが提供できる。【００３３】また、循環ポンプの吸い込み側給水管に空気調整バルブ付の空気取り入れ管を設け、循環ポンプで水槽の水と空気取り入れ管からの空気を同時に吸い込み循環ポンプの羽で撹拌する。それにより、撹拌した空気は小さな泡となり、給水管を通り噴射口より水槽内の水に溶け込み、魚の酸素供給と、水中を浮遊している残り餌や糞に小さな泡が付着し水面へと上昇させることが出来る。これにより、魚への酸素供給を常に行う為、専用の酸素供給装置を置く必要が無い。また、水中を綺麗にし、菌の発生やアンモニアの発生を防ぐことが出来る効果のある魚の養殖装置システムが提供できる。【００３４】また、水面に浮いた残り餌や糞は本管からの給水の際、浮遊物収集箱へと流れ落ち浮遊物排水管へと流れ出る。また、本管からの給水は水面が浮遊物収集箱の上端より高い位置になるように一定時間給水を続ける。それにより、水面に浮いた浮遊物や糞を人手によらず回収出来る効果のある魚の養殖装置システムが提供できる。【００３５】また、アームに設けた掻き寄せ板により集めた残り餌や糞を水と一緒に、一定量ずつ常に水槽の外に出す為、排水管に排水バルブを設ける。これにより、残り餌や糞を水槽内に溜めることなく水槽の外に、一定時間に一定量排水することが出来る。これにより、古い水と新しい水と入れ替え確実に行い、水を綺麗に出来る。また、排水管に立ち上り管を設けることで、必要以上の水位低下を無くし、魚の事故を無くすことが出来る。尚、総排水バルブＡ・Ｂを開水槽内の水を全て排水することで、水槽内の掃除に役立つ効果のある魚の養殖装置システムが提供できる。【００３６】また、水槽の上位センサーが反応したら、本管の給水と浮遊物収集箱に問題があり、下限センサーが反応したら水槽、排水管に問題が有ることが分かる。また、センサーの反応でタイマー付受発信装置を介して管理人の携帯電話に警報が出るようにする。これにより事故を最小限に抑えることの出来る効果のある魚の養殖装置システムが提供できる。【００３７】また、水槽内の水を一定時間に一定水量を入れ替える為、常に排水されている排水バルブで排水量を定め、定めた排水が終わったら、本管から排水量より多い水量を給水する。それにより、水面に浮いた残り餌や糞が浮遊物収集箱へ入り浮遊物排水管へ送り出すことが出来る。この本管からの給水時間をタイマー付受発信装置に設けることで、この一連の動作を繰り返すことが出来る。尚、よく使われている掛け流し式は水槽に２４時間給水し新しい水も古い水も一緒に掛け流している。発明の装置は新しい水と古い水を分けることで、本管用給水ポンプの電気代を大幅に節約することが出来る効果のある魚の養殖装置システムが提供できる。【００３８】また、水槽の水槽枠を分割式にし、水槽枠内を防水シートにすることで、入り口の狭い建物や、大きい水槽で車での運搬・搬入・組み立ての出来ない水槽でも分割式にすることで解決できる。また、コンクリート造りの水槽より大幅に製造費を抑え，工期も大幅に抑えることの出来る効果のある魚の養殖装置システムが提供できる。【００３９】また、アームに噴射管と集水管と掻き寄せ板を設け一体とすることでアームの回転時にかかる水圧を軽減する。それにより噴射口の吹き出し圧でアームを回すことが出来る。また、集水口をアーム全体に設けることで、底板全体から残り餌や糞を吸い出すことが出来る。尚、アームをＳ形曲線にすることで、残り餌や糞を確実に掻き集め水槽の水と底板を、綺麗に保つことが出来る効果のある魚の養殖装置システムが提供できる。
【図面の簡単な説明】
【００４０】
【図１】本発明の魚の養殖装置システムの使用状態を示す平面図
【図２】本発明の魚の養殖装置システムの使用状態を示すＡ−Ａ断面図
【図３】本発明の魚の養殖装置システムの使用状態を示す図１の側面図
【図４】本発明の魚の養殖装置システムの使用状態を示すＢ−Ｂ断面図
【図５】本発明の魚の養殖装置システムの使用状態を示すＣ−Ｃ断面図
【図６】本発明の魚の養殖装置システムの水槽枠と防水シートを示す平面図、側面図
【発明を実施するための形態】
【００４１】図１〜５に示すように水槽１に給水管２を接続する。給水管２の途中に循環ポンプ２９と殺菌灯３０を設け、循環ポンプ２９の吸い込み側に空気量調整バルブ１０付の空気取り入れ管９を設ける。循環ポンプ２９で吸い込み、吐き出された水は給水管２を流れ、防水用の回転Ｏリング２７を設けたねじれ防止用回転ジョイント２６を通り、アーム１５に設けた噴射管１７を通り噴射口１９から勢いよく吹き出し、アーム１５を底板２３に沿って回すことの出来る効率の良い効果が可能になる作用を有する。
【００４２】また、アーム１５には残り餌や糞を掻き集める抑え板１６により固定された掻き寄せ板２０を設ける。それにより、残り餌や糞を集水穴２２へと掻き寄せ集水管１８へ導き、アーム軸２４にもうけた穴から排水管３へと残り餌や糞を流し出すことが出来る効率の良い効果が可能になる作用を有する。
【００４３】また、排水管３に水位下限３２と同じ高さにした立ち上り管４を設け、必要以上の水位低下を起こさぬようにする。また、サイホンにより必要以上に水槽１の水を引かないようにエアー管５を設ける。尚、排水管３に水槽１の水を全て抜き掃除をする際の、総排水バルブＡ７と総排水バルブＢ８を設けることで効率の良い効果が可能になる作用を有する。
【００４４】また、アーム１５両端に回転駒２１を設けることで底板２３との間隔を一定に保ちアーム１５の回転を滑らかにする。また、アーム１５の中央に設けたアーム軸２４によりアーム１５の振れを無くすことが出来る。尚、アーム１５をＳ形の曲線型にすることで、残り餌や糞を効率よく中央に掻き寄せ集水穴２２へ導くことが出来る効率の良い効果が可能になる作用を有する。
【００４５】また、空気取り入れ管９から取り入れた空気を循環ポンプ２９で撹拌し小さな泡として噴射口１９から水槽１の水中に拡散し、水中に漂う残り餌や糞に付着し水面上に導く。その浮いた残り餌や糞を、タイマー付受発信装置２８を介し本管バルブを開き本管１１から給水することで、水位上限３１の位置に設けた浮遊物収集箱１３へ導き入れ、浮遊物排水管１４へ送り出すことが出来る。尚、給水量は排水量より多めに設定することで、水面に浮いた浮遊物を浮遊物収集箱１３へ導きいれることの出来る効率の良い効果が可能になる作用を有する。
【００４６】また、図４に示すようにアームに噴射管１７と集水管１８と掻き寄せ板２０を一体として小さくすることで、アーム１５の回転に対して水の抵抗を小さくすることが出来る効率の良い効果が可能になる作用を有する。
【００４７】また、図５に示す通りアーム軸２４近くに掻き寄せた残り餌や糞をアーム軸２４に設けた集水穴２２から排水管３へ送り出すことが出来る。尚、排水管３とアーム軸２４の隙間から水が漏れないようにアーム軸Ｏリング２５を設けるこれにより効率の良い効果が可能になる作用を有する。
【００４８】また、図６に示す通り水槽１を分割式の水槽枠３５と防水シート３８とする。水槽枠３５は水槽１の大きさにより分割の数を変えることが出来る。また、防水シート３８はたためる硬さにすることで運搬・搬入・組み立てを容易にすることが出来る。尚、水槽枠３５に補強を兼ねたボルト取り付用フランジ３７と、組立用ボルト穴３６を設ける。これにより、水圧に強く・組み立てが早く・経済的に富んだ効率の良い効果が可能になる作用を有する。
【符号の説明】
【００４９】１    水槽
２    給水管
３    排水管
４    立ち上り管
５    エアー抜き管
６    排水バルブ
７    総排水バルブＡ
８    総排水バルブＢ
９    空気取り入れ管
１０  空気調整バルブ
１１  本管
１２  本管用バルブ
１３  浮遊物収集箱
１４  浮遊物排水管
１５  アーム
１６  抑え板
１７  噴射管
１８  集水管
１９  噴射口
２０  掻き寄せ板
２１  回転駒
２２  集水穴
２３  底板
２４  アーム軸
２５  アーム軸Ｏリング
２６  回転ジョイント
２７  回転用Ｏリング
２８  タイマー付受発信装置
２９  循環ポンプ
３０  殺菌灯
３１  水位上限
３２  水位下限
３３  水位センサー上
３４  水位センサー下
３５  水槽枠
３６  組み立て用ボルト穴
３７  ボルト取り付用フランジ
３８  防水シート
３９  本管用ポンプ
【図１】
2016082960.tif 000003
【図２】
2016082960.tif 000004
【図３】
2016082960.tif 000005
【図４】
2016082960.tif 000006
【図５】
2016082960.tif 000007
【図６】
2016082960.tif 000008